(57)【要約】【課題】ユーザ端末が外部ネットワークを介して接続可能となっている機器についても情報を収集することで、ユーザ端末を含むネットワークに関する正確な情報を得る。【解決手段】オペレータシステム１において、機器情報収集サーバ２００は、ユーザ端末１０のデバイスドライバや、設定ファイル、通信記録を参照することで、ユーザ端末１０と外部ネットワークである公衆回線網３を介して接続された電化製品５０の情報を収集する。そして、電化製品５０を含んだネットワーク構造をオペレータ端末１５０に対して送信することで、ユーザ端末１０を含んだネットワークについてより正確な情報を得ることができ、ユーザ端末１０に対する効率的なリモートサポートに寄与する。【選択図】図３
2014052924.tif 000002
【特許請求の範囲】
【請求項１】
電化製品と公衆回線網を介して通信可能に接続されたユーザ端末と、機器情報収集サーバと、オペレータ端末とが通信可能に接続されたオペレータシステムであって、
前記ユーザ端末は、
外部ネットワークを介して通信可能に接続された前記電化製品を検出する電化製品検出手段と、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段と、
を備え、
前記機器情報収集サーバは、
前記ユーザ端末から受信した前記電化製品情報を記憶する電化製品情報記憶手段と、
を備えるオペレータシステム。
【請求項２】
前記機器情報収集サーバが、
前記電化製品情報記憶手段によって記憶した電化製品情報に含まれたネットワークアドレスを用いて、前記ユーザ端末が通信可能に接続されたネットワークのネットワークマップを生成するネットワークマップ生成手段と、
を備える請求項１に記載のオペレータシステム。
【請求項３】
機器情報収集サーバと通信可能に接続され、電化製品と外部ネットワークを介して通信可能に接続されたユーザ端末であって、
外部ネットワークを介して通信可能に接続された前記電化製品を検出する電化製品検出手段と、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段と、
を備えるユーザ端末。
【請求項４】
電化製品と公衆回線網を介して通信可能に接続されたユーザ端末と、機器情報収集サーバと、オペレータ端末とが通信可能に接続されたオペレータシステムが実行する機器情報収集方法であって、
前記ユーザ端末が、
外部ネットワークを介して通信可能に接続された前記電化製品を検出するステップと、
前記検出した電化製品について、ネットワークアドレスと、機器や種別に関する製品情報との、少なくともいずれかを含む電化製品情報を取得し、前記機器情報収集サーバに対して送信するステップと、
を備え、
前記機器情報収集サーバが、
前記ユーザ端末から受信した前記電化製品情報を記憶するステップと、
を備える機器情報収集方法。
【請求項５】
電化製品と公衆回線網を介して通信可能に接続されたユーザ端末と、機器情報収集サーバと、オペレータ端末とが通信可能に接続されたオペレータシステムを制御するオペレータシステム用プログラムであって、
外部ネットワークを介して通信可能に接続された前記電化製品を検出する電化製品検出手段、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段、
として、コンピュータであるユーザ端末を動作させるユーザ端末用プログラムと、
前記ユーザ端末から受信した前記電化製品情報を記憶する電化製品情報記憶手段、
として、コンピュータである機器情報収集サーバを動作させる機器情報収集サーバ用プログラムと、を備えるオペレータシステム用プログラム。
【発明の詳細な説明】
【技術分野】
【０００１】
本発明は、ユーザ端末と外部ネットワークを介して接続された機器の情報を収集するオペレータシステム、ユーザ端末、機器情報収集方法、及び、オペレータシステム用プログラムに関する。
【背景技術】
【０００２】
情報技術の普及に伴い、今日では一部の一般家庭や多くの事業所において、ローカルエリアネットワークが構築されている。ユーザはパーソナルコンピュータやスマートフォン等の汎用的な処理を行える機器を用いて、通信可能に接続された印刷機、室内機等の特殊な機能を提供する機器を制御し、利用している。
【０００３】
また、公衆回線網に接続されたユーザ端末を用いて、内部ネットワークには存在しない機器と通信を行い、当該機器の機能を発揮させることも行われている。例えば、オフィスにおいて、他部署のネットワークに属する共有プリンタで文書の印刷を行ったり、外出先から家に備えられた冷暖房のスイッチを入れることで、帰宅までに家の温度を整えたりといった例が挙げられる。
【０００４】
一方で、ユーザ端末の高機能化、複雑化に伴い、遠隔地にいるオペレータからリモートサポートを受ける機会もまた増加している。そのような場合において、オペレータはユーザ端末を含むネットワークマップを閲覧し、参照することで、不具合の原因の推測に役立てたり、ネットワークのより効率的な運用について助言を行ったりすることができるため、ネットワークの構成に関する情報は、リモートサポートに寄与すると考えられる。
【０００５】
例えば、特許文献１では、ネットワーク管理の混乱を招かない効率的な管理作業を実現するために、ネットワークマップの作成状態を明示する手法が明らかにされている。
【先行技術文献】
【特許文献】
【０００６】
【特許文献１】特許公開２００８−４７０７０号公報
【発明の概要】
【発明が解決しようとする課題】
【０００７】
特許文献１において開示されている方法によれば、ネットワーク管理装置がネットワーク機器の情報に基づいてマップを作成して記憶するマップ記憶部と、指定されたマップ作成状態をマップと関連付けて記憶するマップ状態記憶部とを備えることで、不正確なネットワークマップの開示を回避することで、効率的な管理作業に寄与している。
【０００８】
しかし、ユーザ端末が前記のように外部ネットワークを介して他の機器と通信を行っている場合においては、オペレータはローカルエリアネットワーク以外の当該機器の情報を参照できないために、ネットワーク構造を誤って把握してしまうおそれがある。
【０００９】
そこで、本発明の発明者は、ユーザ端末が前記のように外部ネットワークを介して他の機器と通信を行っている場合においても、当該ユーザ端末にインストールされたデバイスドライバや、通信記録を参照することで、外部ネットワークに存在する機器に関する情報をも取得できる点に着目した。
【００１０】
本発明は、ユーザ端末と外部ネットワークを介して接続された機器の情報を収集するオペレータシステム、ユーザ端末、機器情報収集方法、及び、オペレータシステム用プログラムを提供する。
【課題を解決するための手段】
【００１１】
本発明では、以下のような解決手段を提供する。
【００１２】
第１の特徴に係る発明は、電化製品と公衆回線網を介して通信可能に接続されたユーザ端末と、機器情報収集サーバと、オペレータ端末とが通信可能に接続されたオペレータシステムであって、
前記ユーザ端末は、
外部ネットワークを介して通信可能に接続された前記電化製品を検出する電化製品検出手段と、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段と、
を備え、
前記機器情報収集サーバは、
前記ユーザ端末から受信した前記電化製品情報を記憶する電化製品情報記憶手段と、
を備えるオペレータシステムを提供する。
【００１３】
第１の特徴に係る発明によれば、電化製品と公衆回線網を介して通信可能に接続されたユーザ端末と、機器情報収集サーバと、オペレータ端末とが通信可能に接続されたオペレータシステムにおいて、前記ユーザ端末は、外部ネットワークを介して通信可能に接続された前記電化製品を検出し、出した電化製品について、ネットワークアドレスと、機器や種別に関する製品情報との、少なくともいずれかを含む電化製品情報を取得し、前記機器情報収集サーバに対して送信する。また、前記機器情報収集サーバは、前記ユーザ端末から受信した前記電化製品情報を記憶する。
【００１４】
ここで、第１の特徴に係る発明はオペレータシステムのカテゴリであるが、機器情報収集方法、及び、オペレータシステム用プログラムのカテゴリにおいても、同様の作用、効果を奏する。
【００１５】
第２の特徴に係る発明は、前記機器情報収集サーバが、
前記電化製品情報記憶手段によって記憶した電化製品情報に含まれたネットワークアドレスを用いて、前記ユーザ端末が通信可能に接続されたネットワークのネットワークマップを生成するネットワークマップ生成手段と、
を備える第１の特徴に係る発明であるオペレータシステムを提供する。
【００１６】
第２の特徴に係る発明によれば、第１の特徴に係る発明であるオペレータシステムにおいて、前記機器情報収集サーバは、前記記憶した電化製品情報に含まれたネットワークアドレスを用いて、前記ユーザ端末が通信可能に接続されたネットワークのネットワークマップを生成する。
【００１７】
第３の特徴に係る発明は、機器情報収集サーバと通信可能に接続され、電化製品と外部ネットワークを介して通信可能に接続されたユーザ端末であって、
外部ネットワークを介して通信可能に接続された前記電化製品を検出する電化製品検出手段と、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段と、
を備えるユーザ端末を提供する。
【００１８】
第３の特徴に係る発明によれば、機器情報収集サーバと通信可能に接続され、電化製品と外部ネットワークを介して通信可能に接続されたユーザ端末は、外部ネットワークを介して通信可能に接続された前記電化製品を検出し、検出した電化製品について、ネットワークアドレスと、機器や種別に関する製品情報との、少なくともいずれかを含む電化製品情報を取得し、前記機器情報収集サーバに対して送信する。
【００１９】
第４の特徴に係る発明は、電化製品と公衆回線網を介して通信可能に接続されたユーザ端末と、機器情報収集サーバと、オペレータ端末とが通信可能に接続されたオペレータシステムが実行する機器情報収集方法であって、
前記ユーザ端末が、
外部ネットワークを介して通信可能に接続された前記電化製品を検出するステップと、
前記検出した電化製品について、ネットワークアドレスと、機器や種別に関する製品情報との、少なくともいずれかを含む電化製品情報を取得し、前記機器情報収集サーバに対して送信するステップと、
を備え、
前記機器情報収集サーバが、
前記ユーザ端末から受信した前記電化製品情報を記憶するステップと、
を備える機器情報収集方法を提供する。
【００２０】
第５の特徴に係る発明は、電化製品と公衆回線網を介して通信可能に接続されたユーザ端末と、機器情報収集サーバと、オペレータ端末とが通信可能に接続されたオペレータシステムを制御するオペレータシステム用プログラムであって、
外部ネットワークを介して通信可能に接続された前記電化製品を検出する電化製品検出手段、
前記電化製品検出手段によって検出した電化製品について、ネットワークアドレスと、機器や種別に関する製品情報との、少なくともいずれかを含む電化製品情報を取得し、前記機器情報収集サーバに対して送信する電化製品情報送信手段、
として、コンピュータであるユーザ端末を動作させるユーザ端末用プログラムと、
前記ユーザ端末から受信した前記電化製品情報を記憶する電化製品情報記憶手段、
として、コンピュータである機器情報収集サーバを動作させる機器情報収集サーバ用プログラムと、を備えるオペレータシステム用プログラムを提供する。
【発明の効果】
【００２１】
本発明によれば、ユーザ端末と外部ネットワークを介して接続された機器の情報を収集するオペレータシステム、ユーザ端末、機器情報収集方法、及び、オペレータシステム用プログラムを提供することが可能となる。
【図面の簡単な説明】
【００２２】
【図１】図１は、オペレータシステム１の概要を説明するための概念図である。
【図２】図２は、オペレータシステム１の機能ブロック図である。
【図３】図３は、ユーザ端末１０と機器情報収集サーバ２００が実行する、機器情報収集処理の手順を表したフローチャート図である。
【図４】図４は、ユーザ端末１０が表示するデバイスドライバの情報の一例である。
【図５】図５は、個々の電化製品５０とデバイスドライバを結びつける設定画面の一例である。
【図６】図６は、機器情報収集サーバ２００によって生成されたネットワークマップの一例である。
【発明を実施するための形態】
【００２３】
以下、本発明を実施するための最良の形態について図を参照しながら説明する。なお、これはあくまでも一例であって、本発明の技術的範囲はこれに限られるものではない。
【００２４】
本発明の概要について説明する。オペレータシステム１において、機器情報収集サーバ２００は、ユーザ端末１０のデバイスドライバや、設定ファイル、通信記録を参照することで、ユーザ端末１０と外部ネットワークである公衆回線網３を介して接続された電化製品５０の情報を収集する。そして、電化製品５０を含んだネットワーク構造をオペレータ端末１５０に対して送信することで、ユーザ端末１０を含んだネットワークについてより正確な情報を得ることができ、ユーザ端末１０に対する効率的なリモートサポートに寄与する。
【００２５】
［オペレータシステム１のシステム構成］
図１は、本発明の好適な実施形態であるオペレータシステム１のシステム構成図である。オペレータシステム１は、ユーザ端末１０、ルータ１００、によって構成されるＬＡＮ（Ｌｏｃａｌ  Ａｒｅａ  Ｎｅｔｗｏｒｋ）１０１と、公衆回線網３（インターネット網や第３世代、第４世代通信網など）と、電化製品５０と、オペレータ端末１５０と、機器情報収集サーバ２００と、から構成される。
【００２６】
ユーザ端末１０は、公衆回線網３を介して、電化製品５０、機器情報収集サーバ２００と通信可能に接続されている。ユーザ端末１０と各電化製品５０は、ＬＡＮ１０１で接続されている。オペレータシステム１内の通信は、無線通信、有線通信を問わない。ユーザ端末１０が公衆回線網３と接続するために、ルータ１００等のネットワーク機器を介して通信可能となっている。機器情報収集サーバ２００と、オペレータ端末１５０との間の通信は、ＬＡＮ経由であってもよいし、公衆回線網３を介してもよい。
【００２７】
ユーザ端末１０は、後述する機能を備えた一般的な情報端末であってよい。ユーザ端末１０は、例えば、携帯電話、スマートフォン１０ｂ、複合型プリンタ、テレビ１０ａ、ルータ又はゲートウェイ等のネットワーク機器、コンピュータ１０ｃに加えて、冷蔵庫、洗濯機等の白物家電であってもよいし、電話機、ネットブック端末、スレート端末、電子書籍端末、電子辞書端末、携帯型音楽プレーヤ、携帯型コンテンツ再生・録画プレーヤ等の一般的な情報家電であってよい。
【００２８】
電化製品５０は、データ通信を行うことが可能な家庭用又は業務用の電化製品であって、例えば、パソコン５０ｃ、テレビ５０ｂ、電話機、コンピュータに加えて、携帯電話、携帯情報端末、ネットブック端末、スレート端末、電子書籍端末、携帯型音楽プレーヤ、オーディオコンポ、コンテンツ再生・録画プレーヤ、プリンタ、ＦＡＸ機、コピー機、スキャナ機、ＭＦＰ（多機能周辺装置、多機能プリンタ）等の情報家電のみならず、冷蔵庫、洗濯機、食器洗浄乾燥機、扇風機、エアコン、電気ストーブ、炊飯器、電子レンジ等の白物家電や、電気照明、サーバ、ルータ５０ａ、ゲートウェイ、ＮＡＳ（Ｎｅｔｗｏｒｋ  Ａｔｔａｃｈｅｄ  Ｓｔｏｒａｇｅ）等も含む。
【００２９】
機器情報収集サーバ２００は、ユーザ端末１０から、電化製品５０に関する情報を収集する機器情報収集サーバであって、後述する機能を備える。
【００３０】
オペレータ端末１５０は、ユーザ端末１０に対してリモートサポートを行うオペレータが利用する、一般的な情報端末である。
【００３１】
［各機能の説明］
図２は、オペレータ端末１５０、機器情報収集サーバ２００、携帯型端末１０、電化製品５０の機能ブロックと各機能の関係を示す図である。
【００３２】
携帯型端末１０、オペレータ端末１５０は、制御部として、ＣＰＵ（Ｃｅｎｔｒａｌ  Ｐｒｏｃｅｓｓｉｎｇ  Ｕｎｉｔ），ＲＡＭ（Ｒａｎｄｏｍ  Ａｃｃｅｓｓ  Ｍｅｍｏｒｙ），ＲＯＭ（Ｒｅａｄ  Ｏｎｌｙ  Ｍｅｍｏｒｙ）等を備え、通信部として、例えば、ＩＥＥＥ８０２．１１に準拠したＷｉＦｉ（Ｗｉｒｅｌｅｓｓ  Ｆｉｄｅｌｉｔｙ対応デバイス又は、第３世代移動通信システム等のＩＭＴ−２０００規格に準拠した無線デバイス等を備える（有線によるＬＡＮ接続であってもよい）。
【００３３】
さらに、携帯型端末１０及びオペレータ端末１５０は、出力・入力部として、制御部で制御したデータや画像を出力表示する表示部を備え、かつ、ユーザやサポート者からの入力を受付けるタッチパネルやキーボード、マウス等を備える。加えて、携帯型端末１０及びオペレータ端末１５０は、記憶部として、ハードディスクや半導体メモリによる、データのストレージ部を備える。
【００３４】
携帯型端末１０において、制御部が所定のプログラムを読み込むことで、通信部、出力・入力部、記憶部と協働して、電化製品アクセスモジュール１３、リモートサポートモジュール１５を実現する。電化製品アクセスモジュール１３は、通信可能に接続された電化製品５０を検出する電化製品検出モジュール１１と、検出した電化製品５０に対して機能の実行要求を送信する実行要求送信モジュール１２とから構成される。リモートサポートモジュール１５は、電化製品５０の情報を送信する電化製品情報送信モジュール１４を備える。
【００３５】
電化製品５０は、同様に、制御部として、ＣＰＵ，ＲＡＭ，ＲＯＭ等を備え、通信部として、例えば、ＩＥＥＥ８０２．１１に準拠したＷｉＦｉ対応デバイス又は、第３世代移動通信システム等のＩＭＴ−２０００規格に準拠した無線デバイス等を備える（有線によるＬＡＮ接続であってもよい）。
【００３６】
電化製品５０において、制御部が所定のプログラムを読み込むことで、通信部と協働して、電化製品５０の機能を発揮する機能実行モジュール５１を実現する。
【００３７】
機器情報収集サーバ２００は、同様に、制御部として、ＣＰＵ，ＲＡＭ，ＲＯＭ等を備え、通信部として、例えば、ＩＥＥＥ８０２．１１に準拠したＷｉＦｉ対応デバイスを備える（有線であってもよい）。加えて、機器情報収集サーバ２００は、記憶部として、ハードディスクや半導体メモリによる、データのストレージ部を備える。
【００３８】
機器情報収集サーバ２００の制御部が所定のプログラムを読み込むことで、通信部、記憶部と協働して、オペレータがオペレータ端末１５０を利用してリモートサポートを実行するためのリモートサポートモジュール２０１を実現する。リモートサポートモジュール２０１は、ユーザ端末１０から電化製品５０に関する情報を受信する電化製品情報受信モジュール２０２と、携帯型端末１０が属するローカルエリアネットワークや、通信可能となっている外部ネットワークのネットワークマップを生成するネットワークマップ生成モジュール２０３から構成される。
【００３９】
［リモートサポート処理］
図３は、ユーザ端末１０と機器情報収集サーバ２００が実行する、機器情報収集処理の手順を示したフローチャート図である。この機器情報収集処理の手順について説明する。
【００４０】
はじめに、機器情報収集サーバ２００の電化製品情報受信モジュール２０２は、ユーザ端末１０に対して、電化製品情報の要求を送信する（ステップＳ０１）。ユーザ端末１０の電化製品情報送信モジュール１４は、要求を受信し（ステップＳ０２）、ユーザ端末１０の電化製品検出モジュール１１は、電化製品情報の収集を開始する。ここでは発明の趣旨を鑑み、簡単のため、外部ネットワークに接続された電化製品５０に関してのみ処理を説明するが、実際に送信される情報には、内部ネットワークやＵＳＢ、Ｂｌｕｅｔｏｏｔｈ等を介して接続された電化製品５０の情報を含んでよい。
【００４１】
ここで、通常ユーザ端末１０と電化製品５０との通信は、以下のように行われるものとする。すなわち、デバイスドライバや、ユーティリティソフトを介して、電化製品検出モジュール１１が通信の送信先たる電化製品５０を特定し、ユーザ端末１０の実行要求送信モジュール１２が、機能の発揮に係る実行命令や、それに必要なデータを送信する。電化製品５０の機能実行モジュール５１は実行要求受信し、それに従って機能を発揮する。
【００４２】
そこで、情報の要求を受信したユーザ端末１０の電化製品検出モジュール１１は、デバイスドライバと関連付けられて記憶されたデータや、各種ソフトウェアの設定ファイルや、電化製品５０との間の通信記録を検索し（ステップＳ０３）、それらのファイルの中身を走査する（ステップＳ０４）。そうすることで、ユーザ端末１０と通信可能に接続された電化製品５０の一覧を取得する（ステップＳ０５）とともに、電化製品５０それぞれについてネットワークアドレス（ステップＳ０６）が明らかになる。また、デバイスドライバには通常ベンダーと共に製品情報が含まれているので、それも取得する（ステップＳ０７）。
【００４３】
図４は、ユーザ端末１０が表示するデバイスドライバの情報の一例である。デバイスドライバの情報として、ドライバ名６１、製品情報６２、ドライバの提供者６３、ドライバのバージョン６４、ドライバの最終更新日６５が含まれている。製品によっては、デバイスドライバそのものは個々の電化製品５０と結びついておらず、デバイスドライバと個々の電化製品５０を関連付けるのはもう一階層上の設定ファイルである場合もある。
【００４４】
図５は、個々の電化製品５０とデバイスドライバを結びつける設定画面の一例である。ここでは、印刷に用いるプリンタの設定として、プリンタの識別子７１、ネットワークアドレス７２が表示され、利用するドライバ名７３と関連付けて表示されている。すなわち、仮にデバイスドライバのみを参照したことでネットワークアドレスが取得できなくても、設定ファイルが記憶された領域をデバイスドライバの名称で走査することで、電化製品５０の識別子やネットワークアドレスが取得できる例を示している。
【００４５】
電化製品情報送信モジュール１４は、以上のように取得した電化製品５０の一覧、電化製品５０それぞれの製品情報、及び、ネットワークアドレスを、機器情報収集サーバ２００に対して送信する（ステップＳ０８）。電化製品情報受信モジュール２０２は、電化製品情報として受信し、機器情報収集サーバ２００の記憶部に記憶させる（ステップＳ０９）。
【００４６】
次に、機器情報収集サーバのネットワークマップ生成モジュール２０３は、記憶した電化製品情報に基づいて、ネットワークマップを生成する（ステップＳ１０）。
【００４７】
図６は、機器情報収集サーバ２００によって生成されたネットワークマップの一例である。ネットワークマップには各種機器がミニアイコンで表示されており、電化製品１０を表すアイコン８０や、電化製品１０と同一のＬＡＮに接続された機器がアイコン７０、７１によって表されている。
【００４８】
そして、ネットワークマップには、公衆回線網を表すアイコン９０を隔てて、外部ネットワークを介してユーザ端末１０と接続された電化製品５０を表すアイコン９１と、当該電化製品５０が接続されたＬＡＮ９２が図示されている。また、ネットワークマップには、電化製品５０の識別子やＩＰアドレス等の詳細情報９３が表示されていてよい。以上のようなアイコン９１、ＬＡＮ９２、詳細情報９３は、一覧として取得した電化製品５０のそれぞれについて表示してよい。
【００４９】
最後に、機器情報収集サーバ２００のリモートサポートモジュール２０１は、生成したネットワークマップを、オペレータ端末１５０においてオペレータの閲覧に供するため、オペレータ端末１５０に対して送信する（ステップＳ１１）。
【００５０】
以上が、ユーザ端末１０と機器情報収集サーバ２００が実行する、機器情報収集処理の処理手順である。
【００５１】
上述した手段、機能は、コンピュータ（ＣＰＵ，情報処理装置，各種端末を含む）が、所定のプログラムを読み込んで、実行することによって実現される。プログラムは、例えば、フレキシブルディスク、ＣＤ（ＣＤ−ＲＯＭなど）、ＤＶＤ（ＤＶＤ−ＲＯＭ、ＤＶＤ−ＲＡＭなど）等のコンピュータ読取可能な記録媒体に記録された形態で提供される。この場合、コンピュータはその記録媒体からプログラムを読み取って内部記憶装置または外部記憶装置に転送し記憶して実行する。また、そのプログラムを、例えば、磁気ディスク、光ディスク、光磁気ディスク等の記憶装置（記録媒体）に予め記録しておき、その記憶装置から通信回線を介してコンピュータに提供するようにしてもよい。
【００５２】
以上、本発明の実施形態について説明したが、本発明は上述したこれらの実施形態に限るものではない。また、本発明の実施形態に記載された効果は、本発明から生じる最も好適な効果を列挙したに過ぎず、本発明による効果は、本発明の実施形態に記載されたものに限定されるものではない。
【符号の説明】
【００５３】
１  オペレータシステム、１０  ユーザ端末、５０  電化製品、１５０  オペレータ端末、２００  機器情報収集サーバ
【図１】
2014052924.tif 000003
【図２】
2014052924.tif 000004
【図３】
2014052924.tif 000005
【図４】
2014052924.tif 000006
【図５】
2014052924.tif 000007
【図６】
2014052924.tif 000008